(57)【要約】【課題】モニタリング装置を列車から降ろさず、列車無線指令局を必要としないモニタリング装置の伝送機能試験を実施可能とする。【解決手段】可搬型列車モニタ試験装置４は、試験制御部４０及びインタフェースカードから構成される。試験制御部４０は、メモリ４０１を含む。メモリ４０１は、鉄道車両の外部に設けられる列車無線指令局から送信される列車無線伝送データと同一のデータを試験用列車無線伝送データとして予め格納する。インタフェースカード４１は、メモリ４０１に格納された試験用列車無線伝送データをモニタリング装置３に出力する。【選択図】      図２
2008049831.tif 000002
【特許請求の範囲】
【請求項１】
車両の外部に設けられる列車無線指令局から送信される列車無線伝送データを表示するモニタリング装置を試験するために用いられる可搬型列車モニタ試験装置において、
試験用列車無線伝送データを格納する格納手段と、
試験時に、前記格納手段に格納された試験用列車無線伝送データを前記モニタリング装置に送信する送信手段と
を具備することを特徴とする可搬型列車モニタ試験装置。
【請求項２】
前記格納手段に格納された試験用列車無線伝送データを表示する表示手段を更に具備することを特徴とする請求項１に記載の可搬型列車モニタ試験装置。
【請求項３】
前記表示手段は、前記格納手段によって格納された試験用列車無線伝送データが前記送信手段によって前記モニタリング装置に送信された場合に、前記モニタリング装置から送信される当該試験用列車無線伝送データが当該モニタリング装置によって正常に受信されたかを示す情報を表示することを特徴とする請求項２に記載の可搬型列車モニタ試験装置。
【請求項４】
前記格納手段は、複数の試験用列車無線伝送データを格納し、
前記格納手段に格納された複数の試験用列車無線伝送データのうち、前記モニタリング装置によって処理可能な試験用列車無線伝送データを選択する選択手段を更に具備し、
前記送信手段は、前記選択手段によって選択された試験用列車無線伝送データを送信する
ことを特徴とする請求項１に記載の可搬型列車モニタ試験装置。
【請求項５】
前記モニタリング装置の機種を判別するための情報を要求する機種判別要求を、前記モニタリング装置に出力する要求出力手段を更に具備し、
前記選択手段は、前記要求出力手段によって出力された要求に対する前記モニタリング装置からの応答に基づいて、前記モニタリング装置によって処理可能な試験用列車無線伝送データを選択することを特徴とする請求項４に記載の可搬型列車モニタ試験装置。
【請求項６】
前記送信手段は、複数の異なるインタフェース機能を有し、
前記モニタリング装置に適合するインタフェース機能に切り替える切替手段を更に具備することを特徴とする請求項１に記載の可搬型列車モニタ試験装置。
【請求項７】
前記モニタリング装置のインタフェースの種類を判別するための要求を、前記モニタリング装置に出力する要求出力手段を更に具備し、
前記切替手段は、前記要求出力手段によって出力された要求に対する前記モニタリング装置からの応答に基づいて、前記モニタリング装置に適合するインタフェース機能に切り替えることを特徴とする請求項６に記載の可搬型列車モニタ試験装置。
【請求項８】
前記格納手段に格納された試験用列車無線伝送データは、前記列車無線指令局から送信される列車無線伝送データと同一であることを特徴とする請求項１に記載の可搬型列車モニタ試験装置。
【請求項９】
車両の外部に設けられる列車無線指令局から送信される列車無線伝送データを表示するモニタリング装置を試験する可搬型列車モニタ試験方法において、
試験用列車無線伝送データを格納手段に格納するステップと、
試験時に、前記格納手段に格納された試験用列車無線伝送データを前記モニタリング装置に送信するステップと
を具備することを特徴とする可搬型列車モニタ試験方法。
【発明の詳細な説明】
【技術分野】
【０００１】
本発明は、モニタリング装置を試験する可搬型列車モニタ試験装置に関する。
【背景技術】
【０００２】
一般的に、走行中の鉄道車両（列車）と地上側の指令局との間では、列車無線伝送データの伝送が行われている。この列車無線伝送データの伝送方式に関しては、各種の技術が提案されている（例えば、特許文献１を参照）。
【０００３】
ところで、列車の運転台には、当該列車の稼動状態などを監視するためのモニタリング装置が設置されている。モニタリング装置は、表示装置を有しており、列車の各車両に設けられた端末の各々によって送信される各車両の稼動状態を示す情報を当該表示装置に表示する。これにより、列車の運転者は、モニタリング装置の表示装置に表示された各車両の稼動状態を示す情報により、列車の稼動状態などを把握することができる。
【０００４】
また、モニタリング装置は、地上側の列車無線指令局から送信された列車無線伝送データ（列車無線伝送テキストと呼ばれている）を受信する機能を有する。この列車無線伝送テキストは、列車の外部の情報であり、例えばニュース等を示す情報である。モニタリング装置は、受信された列車無線伝送テキストを各車両に設けられた表示装置に表示することができる。
【特許文献１】特開平４−１６３２７５号公報
【発明の開示】
【発明が解決しようとする課題】
【０００５】
モニタリング装置の試験は、通常では、試験対象の列車に対して、列車無線指令局から試験用データ（試験用列車無線伝送テキストと表記する）が送信されることで行われている。ここで、モニタリング装置の試験は、列車無線伝送テキストの受信と表示の機能を合わせた列車無線伝送機能の試験（以下、伝送機能試験と表記する）と呼ばれる。
【０００６】
しかしながら、鉄道車両の営業時間内に、モニタリング装置の伝送機能試験のために試験用の列車無線伝送テキスト（以下、試験用列車無線伝送テキストと表記）が列車無線指令局から送信された場合、営業運転中の鉄道車両にも試験用列車無線伝送テキストが送信される。この場合、営業運転中の鉄道車両の業務に支障を及ぼすおそれがある。
【０００７】
そのため、モニタリング装置の伝送機能試験は、鉄道車両が営業運転を行っていない夜間にしか行うことができない。
【０００８】
本発明の目的は、営業運転中においても、モニタリング装置の伝送機能試験を行うことができる可搬型列車モニタ試験装置を提供することにある。
【課題を解決するための手段】
【０００９】
上記課題は、車両の外部に設けられる列車無線指令局から送信される列車無線伝送データを表示するモニタリング装置を試験するために用いられる可搬型列車モニタ試験装置において、試験用列車無線伝送データを格納する格納手段と、前記格納手段に格納された試験用列車無線伝送データを前記モニタリング装置に送信する送信手段とを具備することを特徴とする可搬型列車モニタ試験装置によって達成することができる。
【発明の効果】
【００１０】
本発明によれば、営業運転中においても、モニタリング装置の伝送機能試験を行うことができる。
【発明を実施するための最良の形態】
【００１１】
以下、図面を参照して、本発明の各実施形態について説明する。
【００１２】
［第１の実施形態］
本発明の第１の実施形態について、図１から図３を参照して説明する。図１は、本実施形態に関する鉄道車両（列車）１の要部（運転台）を示す図である。
【００１３】
図１に示すように、鉄道車両１の運転台には、列車無線装置２、モニタリング装置３、可搬型列車モニタ試験装置４及びアンテナ５が設けられている。
【００１４】
列車無線装置２は、鉄道車両１の外部にある列車無線指令局（図示せず）から送信された列車無線伝送データ（列車無線伝送テキスト）をアンテナ５を介して受信する。この列車無線伝送テキストは、鉄道車両１の外部の情報であり、例えばニュース等を示す情報である。
【００１５】
また、列車無線指令局から送信された列車無線伝送テキストには、列車無線指令局からの指令を示す情報も含まれる。この指令には、例えば鉄道車両１の到着ホームの変更等がある。列車無線装置２は、受信された列車無線伝送テキストをモニタリング装置３に転送する。
【００１６】
モニタリング装置３は、鉄道車両１の各車両に設けられた端末（図示せず）によって送信された当該各車両の状態を示す情報に基づいて、例えば電圧またはブレーキのような鉄道車両１の稼動状態を監視する。また、モニタリング装置３は、列車無線伝送機能を有する。モニタリング装置３は、列車無線伝送機能により、列車無線装置２によって転送された列車無線伝送テキストを受信し、当該受信された列車無線伝送テキストを例えば鉄道車両１の各車両に設けられた表示装置に表示する。
【００１７】
可搬型列車モニタ試験装置４は、上記したモニタリング装置３が有する列車無線伝送機能の試験（以下、伝送機能試験と表記）を行うために設けられる装置である。可搬型列車モニタ試験装置４は、試験用列車無線伝送テキストを予め格納している。可搬型列車モニタ試験装置４は、試験用列車無線伝送テキストをモニタリング装置３に送信する。
【００１８】
なお、可搬型列車モニタ試験装置４は、例えばノートブック型パーソナルコンピュータとして実現されており、持ち運びが可能である。このため、鉄道車両１以外の鉄道車両に可搬型列車モニタ試験装置４を移動させることによって、鉄道車両１以外の鉄道車両に設けられたモニタリング装置の伝送機能試験を行うことも可能である。
【００１９】
次に、図２を参照して、本実施形態の可搬型列車モニタ試験装置４の構成について説明する。可搬型列車モニタ試験装置４は、試験制御部４０及びインタフェース（ＩＦ）カード４１を有する。
【００２０】
試験制御部４０は、メモリ４０１を含む。メモリ４０１には、上記した列車無線指令局から送信される列車無線伝送テキストと同一のテキストが試験用列車無線伝送テキストとして予め格納されている。この試験用列車無線伝送テキストは、モニタリング装置３を試験するための情報である。モニタリング装置３は、可搬型列車モニタ試験装置４からの試験用列車無線伝送テキストあるいは列車無線指令局から送信される列車無線伝送テキストを、例えば鉄道車両１の各車両に設けられた表示装置に表示する動作を行う。
【００２１】
試験制御部４０は、メモリ４０１に格納された試験用列車無線伝送テキストをインタフェースカード４１に送信する。
【００２２】
インタフェースカード４１は、例えば１０ＢａｓｅＴまたは１００ＢａｓｅＴのインタフェースであり、試験制御部４０と接続されている。インタフェースカード４１は、試験制御部４０によって送信された試験用列車無線伝送テキストをモニタリング装置３に送信する。
【００２３】
次に、図３のフローチャートを参照して、本実施形態の可搬型列車モニタ試験装置４を用いたモニタリング装置３に対する試験の処理手順について説明する。
【００２４】
まず、可搬型列車モニタ試験装置４の試験制御部４０は、メモリ４０１に格納されている試験用列車無線伝送テキストをインタフェースカード４１に送信する（ステップＳ１）。
【００２５】
次に、インタフェースカード４１は、試験制御部４０によって送信された試験用列車無線伝送テキストをモニタリング装置３に送信する（ステップＳ２）。
【００２６】
モニタリング装置３は、インタフェースカード４１によって送信された試験用列車無線伝送テキストを、例えば鉄道車両１の各車両に設けられた表示装置等に表示する（ステップＳ３）。
【００２７】
上記したように本実施形態においては、可搬型列車モニタ試験装置４に試験用列車無線伝送テキストを予め格納し、当該試験用列車無線伝送テキストをモニタリング装置３に送信することで、列車無線指令局を必要としないモニタリング装置３の伝送機能試験を実施することが可能となる。このため、モニタリング装置３以外の環境に依存せずに試験を実施することが可能となる。この場合、試験用列車無線伝送テキストが表示された例えば各車両の表示装置を確認することによって、モニタリング装置３が正しく動作しているか否かを確認できる。
【００２８】
また、本実施形態においては、可搬型列車モニタ試験装置４は、持ち運びが可能であるため、モニタリング装置３を鉄道車両１から降ろすことなく、モニタリング装置３の伝送機能試験を実施することが可能となる。
【００２９】
なお、本実施形態においては、インタフェースカードは、例えば１０ＢａｓｅＴまたは１００ＢａｓｅＴのインタフェースであるものとして説明したが、当該インタフェースカードは、例えばＲＳ４８５のインタフェースであっても構わない。
【００３０】
［第２の実施形態］
次に、図４及び図５を参照して、本発明の第２の実施形態について説明する。図４は、本実施形態の可搬型列車モニタ試験装置６の構成を示すブロック図である。なお、図２と同様の部分には同一参照符号を付してその詳しい説明を省略する。ここでは、図２と異なる部分について主に述べる。
【００３１】
本実施形態の可搬型列車モニタ試験装置６は、試験制御部６０及びインタフェースカード６１により構成されている。
【００３２】
試験制御部６０は、ディスプレイ部６０１、メモリ６０２及びテキスト取得部６０３を含む。
【００３３】
ディスプレイ部６０１は、試験用列車無線伝送テキストを例えばディスプレイに表示する。ディスプレイ部６０１は、モニタリング装置３から送信された情報（後述する）を表示する。
【００３４】
また、ディスプレイ部６０１は、入力部６０１ａを含む。入力部６０１ａは、ユーザの操作に応じて、複数の試験用列車無線伝送テキストのうち、ユーザによって指定された試験用列車無線伝送テキストを示す情報を入力する。入力部６０１ａは、入力された情報をテキスト取得部６０３に送信する。
【００３５】
メモリ６０２には、複数の試験用列車無線伝送テキストが予め格納されている。メモリ６０２に格納されている複数の試験用無線伝送テキストは、それぞれ異なる。
【００３６】
テキスト取得部６０３は、入力部６０１ａによって送信された情報に基づいて、メモリ６０２から当該情報によって示される試験用列車無線伝送テキストを取得し、インタフェースカード６１に送信する。
【００３７】
インタフェースカード６１は、テキスト取得部６０３によって送信された試験用列車無線伝送テキストをモニタリング装置３に送信する。また、インタフェースカード６１は、テキスト取得部６０３によって送信された試験用列車無線伝送テキストをディスプレイ部６０１に送信する。
【００３８】
ここで、モニタリング装置３は、インタフェースカード６１によって送信された試験用列車無線伝送テキストがモニタリング装置３によって正常に受信された旨を示す情報をインタフェースカード６１に送信する。この情報は、インタフェースカード６１からディスプレイ部６０１に送信され、例えばディスプレイに表示される。
【００３９】
次に、図５のフローチャートを参照して、本実施形態の可搬型列車モニタ試験装置６を用いたモニタリング装置３に対する試験の処理手順について説明する。
【００４０】
まず、ディスプレイ部６０１の入力部６０１ａは、ユーザの操作に応じて、特定の試験用列車無線伝送テキストを示す情報を入力する（ステップＳ１１）。
【００４１】
入力部６０１ａは、入力された情報をテキスト取得部６０３に送信する（ステップＳ１２）。
【００４２】
テキスト取得部６０３は、入力部６０１ａによって送信された情報に基づいて、当該情報によって示される試験用列車無線伝送テキストを取得する（ステップＳ１３）。このとき、テキスト取得部６０３は、メモリ６０２を参照して、試験用列車無線伝送テキストを取得する。テキスト取得部６０３は、取得された試験用列車無線伝送テキストをインタフェースカード６１に送信する。
【００４３】
インタフェースカード６１は、テキスト取得部６０３によって送信された試験用列車無線伝送テキストをモニタリング装置３及びディスプレイ部６０１に送信する（ステップＳ１４）。
【００４４】
モニタリング装置３は、インタフェースカード６１によって送信された試験用列車無線伝送テキストを例えば鉄道車両１の各車両に設けられた表示装置等に表示する。また、ディスプレイ部６０１は、インタフェースカード６１によって送信された試験用列車無線伝送テキストを例えばディスプレイに表示する（ステップＳ１５）。
【００４５】
上記したように本実施形態においては、可搬型列車モニタ試験装置６に複数の試験用列車無線伝送テキストを予め格納し、当該複数の試験用列車無線伝送テキストのうち、例えばユーザの操作に応じてユーザの用途に合わせた試験用列車無線伝送テキストをモニタリング装置３に送信することで、モニタリング装置３の伝送機能試験を実施することが可能となる。
【００４６】
また、本実施形態においては、同一の試験用列車無線伝送テキストがモニタリング装置３及びディスプレイ部６０１によって表示されるので、当該表示された試験用列車無線伝送テキストの両者を比較することによって、モニタリング装置３の動作を正確に確認することが可能となる。
【００４７】
また、モニタリング装置３が試験用列車無線伝送テキストを正常に受信したか否かを示す情報がディスプレイ部６０１によって表示されるため、当該表示を確認することによって、モニタリング装置３による表示だけでなく、モニタリング装置３の受信動作が正常に実行されているかを確認することも可能となる。
【００４８】
［第３の実施形態］
次に、図６及び図７を参照して、本発明の第３の実施形態について説明する。図６は、本実施形態の可搬型列車モニタ試験装置７の構成を示すブロック図である。なお、図４と同様の部分には同一参照符号を付してその詳しい説明を省略する。ここでは、図４と異なる部分について主に述べる。
【００４９】
本実施形態の可搬型列車モニタ試験装置７は、試験制御部７０及びインタフェースカード７１により構成されている。
【００５０】
試験制御部７０は、ディスプレイ部６０１、メモリ６０２、要求出力部７０１、判別部７０２及び選択部７０３を含む。なお、ディスプレイ部６０１は、前述した第２の実施形態と異なり、入力部６０１ａを含まない構成であるが、それ以外の構成は同一であるのでここでは説明を省略する。また、メモリ６０２の構成については、前述した第２の実施形態と同様であるので、ここでは説明を省略する。
【００５１】
要求出力部７０１は、可搬型モニタ試験装置７を用いてモニタリング装置３の伝送機能試験を実施する場合に、当該モニタリング装置３の機種を判別するための情報を、当該モニタリング装置３に対して要求する。要求出力部７０１は、インタフェースカード７１を介して、この要求（以下、機種判別要求と表記）をモニタリング装置３に出力する。
【００５２】
ここで、モニタリング装置３は、応答部３１を含む。応答部３１は、要求出力部７０１によって出力された機種判別要求に対する応答をインタフェースカード７１に対して送信する。
【００５３】
判別部７０２は、モニタリング装置３に含まれる応答部３１によって送信された機種判別要求に対する応答を受信する。なお、モニタリング装置３に含まれる応答部３１は、要求出力部７０１によって出力された機種判別要求に対する応答として、モニタリング装置３の機種を示す情報をインタフェースカード７１に送信する。判別部７０２は、受信された応答に基づいて、モニタリング装置３の機種によって処理可能な試験用列車無線伝送テキストを判別する。
【００５４】
選択部７０３は、判別部７０３によって判別された結果に応じて、メモリ６０２に格納されている複数の試験用列車無線伝送テキストのうち、モニタリング装置３によって処理可能な試験用列車無線伝送テキストを選択する。選択部７０３は、選択された試験用列車無線伝送テキストをインタフェースカード７１に出力する。
【００５５】
次に、図７のシーケンスチャートを参照して、本実施形態の可搬型列車モニタ試験装置７を用いたモニタリング装置３に対する試験の処理手順について説明する。
【００５６】
まず、試験制御部７０に含まれる要求出力部７０１は、可搬型列車モニタ試験装置７を用いてモニタリング装置３に対する試験処理を実施する場合、インタフェースカード７１を介して機種判別要求をモニタリング装置３に出力する（ステップＳ２１）。
【００５７】
モニタリング装置３に含まれる応答部３１は、要求出力部７０１によって出力された機種判別要求に対する応答を、インタフェースカード７１を介して試験制御部７０に含まれる判別部７０２に送信する（ステップＳ２２）。
【００５８】
次に、判別部７０２は、応答部３１によって送信された応答に基づいて、モニタリング装置３の機種によって処理可能な試験用列車無線伝送テキストを判別する。判別部７０２は、判別された結果を選択部７０３に送信する。
【００５９】
選択部７０３は、判別部７０２によって送信された判別結果に基づいて、モニタリング装置３によって処理可能な試験用列車無線伝送テキストを選択する（ステップＳ２３）。このとき、選択部７０３は、メモリ６０２を参照して、試験用列車無線伝送テキストを選択する。選択部７０３は、選択された試験用列車無線伝送テキストをインタフェースカード７１に送信する。
【００６０】
インタフェースカード７１は、選択部７０３によって送信された試験用列車無線伝送テキストをモニタリング装置３及びディスプレイ部６０１に送信する（ステップＳ２４）。
【００６１】
モニタリング装置３は、インタフェースカード７１によって送信された試験用列車無線伝送テキストを例えば鉄道車両１の各車両に設けられた表示装置に表示する。また、ディスプレイ部６０１は、インタフェースカード７１によって送信された試験用列車無線伝送テキストを例えばディスプレイに表示する（ステップＳ２５）。
【００６２】
上記したように本実施形態においては、可搬型列車モニタ試験装置７に複数の試験用列車無線伝送テキストを予め格納し、モニタリング装置３の機種を判別することによって、複数の試験用列車無線伝送テキストのうち、当該モニタリング装置３によって処理可能な試験用列車無線伝送テキストを自動的に選択することが可能となる。これにより、メモリ６０２に予め格納された複数の試験用列車無線伝送テキストのうち、例えばモニタリング装置の新旧等に応じて、モニタリング装置３によって処理できない試験用列車無線伝送テキストが存在する場合であっても、適切な試験用列車無線伝送テキストを用いてモニタリング装置３の伝送機能試験が実施することが可能となる。
【００６３】
なお、選択部７０３は、モニタリング装置３によって処理可能な試験用列車無線伝送テキストを複数選択する構成でも構わない。この場合、選択部７０３によって選択された複数の試験用列車無線伝送テキストのうち、例えば試験に用いられる試験用列車無線伝送テキストをユーザに選択させる構成としても良い。
【００６４】
［第４の実施形態］
次に、図８および図９を参照して、本発明の第４の実施形態について説明する。図８は、本実施形態の可搬型列車モニタ試験装置８の構成を示すブロック図である。なお、図２と同様の部分には同一参照符号を付してその詳しい説明を省略する。ここでは、図２と異なる部分について主に述べる。
【００６５】
本実施形態の可搬型列車モニタ試験装置８は、試験制御部８０及びインタフェースカード８１により構成されている。
【００６６】
試験制御部８０は、要求出力部８０１を含む。要求出力部８０１は、モニタリング装置３のインタフェースの種類を判別するための情報を、当該モニタリング装置３に対して要求する。要求出力部８０１は、インタフェースカード８１を介して、この要求（ＩＦ判別要求）を出力する。
【００６７】
インタフェースカード８１は、複数の異なるインタフェース機能、例えば１０ＢａｓｅＴまたは１００ＢａｓｅＴのインタフェースを有する。また、インタフェースカード８１は、要求出力部８０１によって出力されたＩＦ判別要求をモニタリング装置３に送信する。
【００６８】
ここで、モニタリング装置３は応答部３１を含む。応答部３１は、インタフェースカード８１によって送信されたＩＦ判別要求に対する応答を送信する。
【００６９】
インタフェースカード８１は、切替部８１１を含む。切替部８１１は、モニタリング装置３の応答部３１によって送信されたＩＦ判別要求に対する応答に基づいて、インタフェースカード８１の複数のインタフェース機能を切り替える。切替部８１１は、例えばモニタリング装置３の応答部３１によって送信された応答を正常に受信できたか否かに応じて、正常に受信可能なインタフェース機能に切り替える。つまり、切替部８１１は、モニタリング装置３に適用されているインタフェースに適合するインタフェース機能に切り替える。
【００７０】
次に、図９のフローチャートを参照して、本実施形態の可搬型列車モニタ試験装置８を用いたモニタリング装置３に対する試験の処理手順について説明する。
【００７１】
まず、試験制御部８０に含まれる要求出力部８０１は、可搬型列車モニタ試験装置８を用いてモニタリング装置３に対する試験処理を実施する場合、ＩＦ判別要求をインタフェースカード８１に出力する（ステップＳ３１）。
【００７２】
インタフェースカード８１は、要求出力部８０１によって出力されたＩＦ判別要求をモニタリング装置３に送信する。
【００７３】
モニタリング装置３に含まれる応答部３１は、インタフェースカード８１によって送信されたＩＦ判別要求に対する応答を、インタフェースカード８１に送信する（ステップＳ３２）。
【００７４】
インタフェースカード８１に含まれる切替部８１１は、応答部に３１によって送信されたＩＦ判別要求に対する応答に応じて、インタフェースカード８１が有する複数のインタフェース機能を切り替える（ステップＳ３３）。このとき、切替部８１１は、例えば応答を正常に受信できた場合、現在のインタフェースカード８１のインタフェース機能を維持する。また、切替部８１１は、応答を正常に受信できなかった場合には、複数のインタフェース機能のうち、現在のインタフェース機能以外のインタフェース機能に切り替える。
【００７５】
以下、図３に示すステップＳ１からＳ３の処理に相当するステップＳ３４からＳ３６の処理が実行される。
【００７６】
上記したように本実施形態においては、インタフェースカード８１が複数の異なるインタフェース機能を有する。この場合、当該複数の異なるインタフェース機能のうち、モニタリング装置３のインタフェース機能と同一のインタフェース機能に切り替えることで、例えば異なるインタフェースを持つモニタリング装置が存在する場合であっても、その両方に対する試験を実施することが可能となる。
【００７７】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【００７８】
【図１】鉄道車両１の概略を当該鉄道車両１の側面から示す図。
【図２】本発明の第１の実施形態の可搬型列車モニタ試験装置４の構成を示すブロック図。
【図３】上記第１の実施形態の可搬型列車モニタ試験装置４を用いたモニタリング装置３に対する試験の処理手順を示すフローチャート。
【図４】本発明の第２の実施形態の可搬型列車モニタ試験装置６の構成を示すブロック図。
【図５】上記第２の実施形態の可搬型列車モニタ試験装置６を用いたモニタリング装置３に対する試験の処理手順を示すフローチャート。
【図６】本発明の第３の実施形態の可搬型列車モニタ試験装置７の構成を示すブロック図。
【図７】上記第３の実施形態の可搬型列車モニタ試験装置７を用いたモニタリング装置３に対する試験の処理手順を示すシーケンスチャート。
【図８】本発明の第４の実施形態の可搬型列車モニタ試験装置８の構成を示すブロック図。
【図９】上記第４の実施形態の可搬型列車モニタ試験装置８を用いたモニタリング装置３に対する試験の処理手順を示すフローチャート。
【符号の説明】
【００７９】
１…鉄道車両、２…列車無線装置、３…モニタリング装置、４，６，７，８…可搬型列車モニタ試験装置、５…アンテナ、３１…応答部、４０，６０，７０，８０…試験制御部、４１，６１，７１，８１…インタフェースカード、４０１，６０２…メモリ、６０１…ディスプレイ部、６０３…テキスト取得部、７０１，８０１…要求出力部、７０２…判別部、７０３…選択部、８１１…切替部。
【図１】
2008049831.tif 000003
【図２】
2008049831.tif 000004
【図３】
2008049831.tif 000005
【図４】
2008049831.tif 000006
【図５】
2008049831.tif 000007
【図６】
2008049831.tif 000008
【図７】
2008049831.tif 000009
【図８】
2008049831.tif 000010
【図９】
2008049831.tif 000011